(57)【特許請求の範囲】
【請求項１】
ベースと、このベースに回転自在に支持された回転軸と、回転軸に設けられて一体的に回転する回転体と、回転体の外周寄りに所定の間隔で設けられた容器保持手段とを備えたロータリ式容器処理装置において、
前記回転体を、回転軸に水平に固定された基準円体と、この基準円体の外周に半径方向外方に延長して取付けられて、少なくとも一部がベースから外側に張り出す着脱可能な延長部材とから構成し、かつ、前記容器保持手段が前記延長部材に取り付けられていることを特徴とするロータリ式容器処理装置。
【発明の詳細な説明】
【０００１】
【発明の属する技術分野】
本発明は、回転体に設けられた容器保持手段によって容器を保持して回転搬送する間に、洗浄その他の処理を行なうロータリ式容器処理装置に関するものである。
【０００２】
【従来の技術】
ベースに直立した回転軸を回転自在に支持させ、この回転軸に固定されて一体的に回転する回転体に円周方向等間隔で多数の容器保持手段を取付け、各容器保持手段に容器を保持させて回転搬送する間に、これら容器に洗浄水を噴射して洗浄するボトルリンサーや、回転搬送中の容器にエアを吹付けて汚れを除去するエアクリーナ等のロータリ式容器処理装置が従来から知られている。
【０００３】
このようなロータリ式容器処理装置で容器の処理能力を向上させるためには、回転体にできるだけ多数の容器保持手段を設けて同時に多数の容器を装置内に搬入し、連続的に搬送する間に洗浄等の処理を行なうようにすれば良い。そのためには容器処理装置の大型化を図ることが望ましい。
【０００４】
【発明が解決しようとする課題】
しかしながら、ロータリ式容器処理装置を大型化すると、道路上を輸送する際の寸法制限があるため、設置場所までの輸送が不可能であり、従来は、大型機を製作することは困難であった。また、大型のロータリ式容器処理装置を分割可能に構成して、輸送時には分割し、設置場所に搬入した後組立てるようにすることも可能であるが、ロータリ式容器処理装置の回転体は高精度が要求され、復元した際に三次元的な調整を行なわなければならないため、回転体を分割可能な構成にすることは実際には不可能であった。そこで従来は、搬送可能なサイズの小型の容器処理装置を複数台設けることにより、大型の容器処理装置と同様の処理能力を得るようにしていたが、この場合には、一台の大型機よりもコスト高であるという問題があった。
【０００５】
本発明は前記課題を解決するためになされたもので、大型のロータリ式容器処理装置を陸上搬送可能な構成にすることにより、実用化できるようにすることを目的とするものである。
【０００６】
【課題を解決するための手段】
本発明に係るロータリ式容器処理装置は、ベースと、このベースに回転自在に支持された回転軸と、回転軸に設けられて一体的に回転する回転体と、回転体の外周寄りに所定の間隔で設けられた容器保持手段とを備えており、特に、前記回転体を、回転軸に水平に固定された基準円体と、この基準円体の外周に半径方向外方に延長して取付けられて、少なくとも一部がベースから外側に張り出す着脱可能な延長部材とから構成し、かつ、前記容器保持手段が前記延長部材に取り付けられていることを特徴とするものである。
【０００７】
前記ロータリ式容器処理装置では、回転体のうち高精度を要求される基準円体は回転軸に固定しておき、容器保持手段等を取付ける部分を、延長部材として基準円体の外周に取付けるようにしている。従って、搬送時には、延長部材を取外してサイズを小さくすることができ、しかも、組立てる際も、基準円体は分解していないので、微妙な調整等を必要としない。
【０００８】
【発明の実施の形態】
以下、図面に示す実施の形態により本発明を説明する。図１は本発明の一実施の形態に係るロータリ式容器処理装置の平面図、図２はその正面図である。長方形のメインフレーム（ベース）２を、その幅（短辺の長さ）Ｗ1 が陸送可能な幅に収まるような最大の大きさに製作する。このメインフレーム２に直立した回転軸４を回転自在に支持させる。回転軸４上にメインホイール（基準円体）６を水平に固定し一体回転可能にする。このメインホイール６の外径Ｄ1 も前記メインフレーム２と同様に、陸送可能な範囲に収まる最大径とする。
【０００９】
メインホイール６の下面側に、所定の角度間隔で放射状に複数の水平なステー８を取付け、これらステー８の先端に、必要な直径Ｄ2 を有する外輪１０を取付ける。各ステー８は、それぞれ取外し可能になっている。また、外輪１０は分割された複数の円弧部１０ａ，１０ｂ，１０ｃ，１０ｄから構成されており、各円弧部１０ａ，１０ｂ，１０ｃ，１０ｄを独立して着脱できるようになっている。特に、メインフレーム２上から外側に張り出す部分１０ｂ，１０ｄを分離することができる。
【００１０】
前記外輪１０上に、円周方向等間隔で多数のボトルグリッパ（容器保持手段）１２が取付けられている。また、これらボトルグリッパ１２によって搬送される容器１４の搬送経路の所定の位置に洗浄水を噴射するノズル（図示せず）が取付けられている。さらに、この実施例に係るロータリ式容器処理装置では、メインフレーム２から外方に張り出した部分が、着脱可能なカバー１６によって覆われている。メインフレーム２上の、これらボトルグリッパ１２等が取付けられている外輪１０の外側に、容器１４を連続的に搬送する搬送コンベヤ１８と、この搬送コンベヤ１８から容器処理装置内に容器１４を搬入する入口スターホイール２０および容器処理装置内から搬送コンベヤ１８上に容器１４を搬出する出口スターホイール２２が設けられる。
【００１１】
以上の構成に係るロータリ式容器処理装置では、搬送時には、図３および図４に示すように、メインホイール６の外周全体に取付けられたステー８および外輪１０のうち、メインフレーム２上から外に張り出している部分だけを取外し、この状態で搬送する。その後、設置場所に搬入した後、前記ステー８および外輪１０（１０ｂ，１０ｄ）を取付けて組立てるようになっている。このように陸送の可能な最大の幅に納まる形状にして搬送を行なうので、従来搬送不可能であったために製作されなかった大型のロータリ式容器処理装置の製作が可能になる。しかも、高精度を要求されるメインホイール６については分解して着脱することはないので、組立後の微妙な調整は不要である。また、従来のように、大きい処理能力を必要とする場合に、複数台の容器処理装置を用意する場合に比べて低コストである。
【００１２】
なお、前記実施例では、容器保持手段としてボトルグリッパを備えたボトルリンサーあるいはエアクリーナについて説明したが、その他のロータリ式容器処理装置にも適用しうることはいうまでもない。また、メインホイール６は、リング状あるいは円板状のいずれでも良い。さらに、前記実施例では、メインフレーム２とメインホイール６のサイズを、陸送可能な最大の幅にほぼ一致する短辺の長さＷ1 および直径Ｄ1 を有するように設定したが、両者Ｗ1 ，Ｄ1 が同一である必要はなく、いずれも陸送可能な幅内に収まるものであれば良い。
【００１３】
【発明の効果】
以上述べたように本発明によれば、ベースと、このベースに回転自在に支持された回転軸と、回転軸に設けられて一体的に回転する回転体と、回転体の外周寄りに所定の間隔で設けられた容器保持手段とを備えたロータリ式容器処理装置において、前記回転体を、回転軸に水平に固定された基準円体と、この基準円体の外周に半径方向外方に延長して取付けられて、少なくとも一部がベースから外側に張り出す着脱可能な延長部材とから構成し、かつ、前記容器保持手段が前記延長部材に取り付けられるように構成したことにより、大型のロータリ式容器処理装置を製作しても搬送可能であり、処理能力の高い容器処理装置を低コストで製作することができる。
【図面の簡単な説明】
【図１】本発明の一実施例に係るロータリ式容器処理装置の平面図である。
【図２】前記ロータリ式容器処理装置の正面図である。
【図３】前記ロータリ式容器処理装置の搬送時の状態を示す平面図である。
【図４】前記ロータリ式容器処理装置の搬送時の状態を示す正面図である。
【符号の説明】
２    ベース（メインフレーム）
４    回転軸
６    基準円体（メインホイール）
８    延長部材（ステー）
１０    延長部材（外輪）
１２    容器保持手段
【図１】
0003968834.tif 000002
【図２】
0003968834.tif 000003
【図４】
0003968834.tif 000004
【図３】
0003968834.tif 000005